(57)【要約】【課題】制御部が出力するパルス信号によるノイズの影響が少ない音声発生装置を提供する。【解決手段】音声増幅部８に直流電圧を供給するレギュレータＩＣ１が出力電圧を分圧して帰還させるフィードバック抵抗Ｒ２，Ｒ３を備えるとともに、制御部４からの制御信号に応じてフィードバック抵抗Ｒ２，Ｒ３の合成抵抗値を下げる働きをする抵抗Ｒ４，Ｒ５を有するインピーダンス調整部１２を備える。そして、制御部４は、ダイナミックスキャンのスキャン信号（パルス信号）の立ち上がりのタイミングに同期してインピーダンス調整部１２を動作させてレギュレータＩＣ１のインピーダンスを下げることによって、パルス信号の立ち上がりに同期して発生するノイズがレギュレータＩＣ１の出力電圧に与える影響を軽減し、スピーカ９から音声出力に雑音が混じるのを軽減させる。【選択図】図２
2014089020.tif 000002
【特許請求の範囲】
【請求項１】
音声信号を生成する音源部と、前記音源部から供給される音声信号を増幅する音声増幅部と、前記音声増幅部で増幅された音声信号を外部に出力するスピーカと、前記音声増幅部に電源電圧を供給する電源部と、前記音源部と前記電源部を制御する制御部とを備えてなり、前記電源部の出力電圧を一定に制御するために出力電圧を分圧して帰還させるフィードバック抵抗を備えている音声発生装置において、
前記制御部からの制御信号に基づいて前記電源部のインピーダンスを下げるインピーダンス調整部が備えられ、
前記制御部は、当該制御部が出力するパルス信号の立ち上がりおよび／または立ち下がりのタイミングに同期して前記インピーダンス調整部を動作させて、前記パルス信号が立ち上がるときおよび／または立ち下がるときには前記電源部のインピーダンスを一時的に下げる制御構成を備えたことを特徴とする音声発生装置。
【請求項２】
前記電源部は、前記制御部から与えられる電源制御信号によってその動作／停止が切換可能に構成されており、
前記制御部は、前記電源部を動作させているときにのみ前記インピーダンス調整部に対する制御信号を出力するように構成されていることを特徴とする請求項１に記載の音声発生装置。
【請求項３】
前記パルス信号は、前記制御部が表示部の表示制御用に出力するパルス信号であることを特徴とする請求項１または２に記載の音声発生装置。
【請求項４】
音声メッセージの出力用の音声発生手段として、請求項１から３のいずれかに記載の音声発生装置を備えたことを特徴とする給湯装置の操作装置。
【発明の詳細な説明】
【技術分野】
【０００１】
この発明は音声発生装置および給湯装置の操作装置に関し、より詳細には、給湯装置の操作装置において音声メッセージなどの出力に用いられる音声発生装置に関する。
【背景技術】
【０００２】
ガス給湯器などの給湯装置の操作装置（リモコン）には音声メッセージの出力機能を備えたものがある（たとえば、特許文献１参照）。この種の操作装置には、音声メッセージを出力するための音声発生装置が備えられている。音声発生装置は、音声メッセージの音源となる音声信号を生成する音声合成ＩＣ（音源部）、音声合成ＩＣで生成された音声信号を増幅する音声増幅回路（音声増幅部）、音声増幅回路で増幅された音声信号を外部に出力するスピーカ、音声合成ＩＣや音声増幅回路などに電源電圧を供給する電源回路（電源部）、音声合成ＩＣを制御する制御部などを主要部として構成されている。
【０００３】
図５は、このような操作装置に備えられる音声発生装置の電源部の一例を示している。図５に示す電源部は、音声増幅回路に供給する直流電圧を生成するための電源回路であって、元電源から供給される直流電圧（図示例では１５Ｖ）から音声増幅回路用の電源電圧（図示例では７Ｖ）を生成するように構成されている。
【０００４】
具体的には、この電源部は、降圧型のレギュレータＩＣ１と、このレギュレータＩＣ１の出力電圧を一定に制御するためのフィードバック抵抗Ｒ２，Ｒ３とを主要部として構成されており、レギュレータＩＣ１からの出力電圧がフィードバック抵抗Ｒ２，Ｒ３によって分圧されてレギュレータＩＣ１に帰還するように構成されている。つまり、レギュレータＩＣ１は、このフィードバック抵抗Ｒ２，Ｒ３によって分圧された電圧に基づいてレギュレータＩＣ１の出力電圧が一定となるように制御するように構成されている。
【０００５】
なお、図５において、レギュレータＩＣ１の入力側に備えられる抵抗Ｒ１は元電源の直流電圧をレギュレータＩＣ１に入力するための入力抵抗であり、コンデンサＣ１はレギュレータＩＣ１の動作を安定させるための平滑コンデンサである。また、レギュレータＩＣ１の出力側に備えられるコンデンサＣ２は、レギュレータＩＣ１の発振を防止するためのコンデンサである。
【０００６】
また、このレギュレータＩＣ１は、図示しない制御部から与えられる電源制御信号（電源ＯＮ／ＯＦＦ信号）によってその動作／停止が制御可能に構成されており、たとえば、音声増幅回路を使用しないような場合には、制御部がレギュレータＩＣ１の動作を停止させることができるようになっている。
【先行技術文献】
【特許文献】
【０００７】
【特許文献１】特開２０００−１８４４７２号公報
【発明の概要】
【発明が解決しようとする課題】
【０００８】
ところで、このようにレギュレータＩＣ１がフィードバック抵抗Ｒ２，Ｒ３を備える構成では、フィードバック抵抗Ｒ２，Ｒ３がレギュレータＩＣ１から離れた場所に配置されているとノイズの影響を受けやすくなる。
【０００９】
特に、給湯装置の操作装置においては、音声合成ＩＣを制御する制御部は、図示しない操作装置の表示部（たとえば、液晶表示装置や蛍光管表示装置、７セグメントＬＥＤなど）の表示制御なども行うようになっていることから、このような表示制御におけるダイナミックスキャンの同期信号等（パルス信号）の立ち上がり時に発生するノイズなどがレギュレータＩＣの出力電圧をふらつかせ、その結果、音声増幅部で増幅される音声信号にもノイズが入る、つまりスピーカから出力される音声メッセージなどに雑音が混じるという問題があった。
【００１０】
なお、この点については、フィードバック抵抗Ｒ２，Ｒ３の抵抗値を小さくし、レギュレータＩＣ１のインピーダンスを恒久的に下げればノイズは低減されるが、フィードバック抵抗Ｒ２，Ｒ３の抵抗値を小さくすると、電流値が増加し、消費電力が増えるという問題があった。
【００１１】
本発明は、このような問題点に鑑みてなされたものであって、その目的とするところは、制御部が出力するパルス信号に起因するノイズの影響が少ない音声発生装置を提供することを主たる目的とし、これにより雑音の少ないクリアな音声メッセージの出力ができる給湯装置の操作装置を提供することを従たる目的とする。
【課題を解決するための手段】
【００１２】
上記目的を達成するため、本発明の請求項１に記載の音声発生装置は、音声信号を生成する音源部と、上記音源部から供給される音声信号を増幅する音声増幅部と、上記音声増幅部で増幅された音声信号を外部に出力するスピーカと、上記音声増幅部に電源電圧を供給する電源部と、上記音源部と上記電源部を制御する制御部とを備えてなり、上記電源部の出力電圧を一定に制御するために出力電圧を分圧して帰還させるフィードバック抵抗を備えている音声発生装置において、上記制御部からの制御信号に基づいて上記電源部のインピーダンスを下げるインピーダンス調整部が備えられ、上記制御部は、当該制御部が出力するパルス信号の立ち上がりおよび／または立ち下がりのタイミングに同期して上記インピーダンス調整部を動作させて、上記パルス信号が立ち上がるときおよび／または立ち下がるときには上記電源部のインピーダンスを一時的に下げる制御構成を備えたことを特徴とする。
【００１３】
すなわち、この請求項１に係る音声発生装置では、制御部が出力するパルス信号の立ち上がり（および／または立ち下がり）のタイミングに同期してインピーダンス調整部が動作することにより、上記パルス信号が立ち上がるときには電源部のインピーダンス（具体的には、上記フィードバック抵抗が接続される電源部の出力ラインのインピーダンス）が一時的に下げられるので、パルス信号の立ち上がり（および／または立ち下がり）に同期して発生するノイズの影響による電源部の出力電圧のふらつきが抑制される。その結果、パルス信号の立ち上がり（および／または立ち下がり）に同期して発生するノイズの影響によって音声発生装置から出力される音声に雑音が混ざることが抑制される。なお、ここで制御部が出力するパルス信号とは、ダイナミック（ダイナミックスキャン）方式で複数のキーの入力読取りや多桁のセグメント表示などを行うときに用いる同期信号やクロック信号などの一定周期で電圧の高低（Ｈｉ／Ｌｏ）を繰り返す矩形波の信号を含む意である（以下、同様）。
【００１４】
また、この音声発生装置では、制御部がパルス信号を出力していないときにはインピーダンス調整部は動作しないので、電源部のインピーダンスを下げることに伴う消費電力の増加が回避される。
【００１５】
本発明の請求項２に記載の音声発生装置は、請求項１に記載の音声発生装置において、上記電源部は、上記制御部から与えられる電源制御信号によってその動作／停止が切換可能に構成されており、上記制御部は、上記電源部を動作させているときにのみ上記インピーダンス調整部に対する制御信号を出力するように構成されていることを特徴とする。
【００１６】
すなわち、この請求項２に係る音声発生装置では、電源部が制御部から与えられる電源制御信号によってその動作／停止が切換可能に構成されているので、音声信号の増幅を行わない時には電源部の動作を停止でき、音声増幅部での電力消費を抑制することができる。また、電源部が動作を停止しているときにはインピーダンス調整部に対する制御信号は出力されないので、インピーダンス調整部を動作させるための無駄な電力消費も回避することができる。
【００１７】
本発明の請求項３に記載の音声発生装置は、請求項１または２に記載の音声発生装置において、上記パルス信号は、上記制御部が表示部の表示制御用に出力するパルス信号であることを特徴とする。
【００１８】
すなわち、この請求項３に係る音声発生装置では、制御部は表示部の表示制御用に出力するパルス信号（たとえば、ダイナミックスキャンの同期信号）に同期してインピーダンス調整部を動作させるので、ダイナミックスキャンのパルス信号の立ち上がり（および／または立ち下がり）に同期して発生するノイズの影響による電源部の出力電圧のふらつきが抑制され、ダイナミックスキャンに伴うノイズの影響により音声発生装置から出力される音声に雑音が混ざることが抑制される。
【００１９】
本発明の請求項４に記載の給湯装置の操作装置は、音声メッセージの出力用の音声発生手段として、請求項１から３のいずれかに記載の音声発生装置を備えたことを特徴とする。
【００２０】
すなわち、この請求項４に係る給湯装置の操作装置では、給湯装置の状況を報知する音声メッセージの出力用の音声発生手段として、請求項１から４のいずれかに記載の音声発生装置を備えていることから、たとえば、操作装置の表示部の表示制御にパルス信号を採用している場合において、パルス信号の影響により音声メッセージに雑音が混じるのが防止される。
【発明の効果】
【００２１】
本発明によれば、制御部が出力するパルス信号の立ち上がり（および／または立ち下がり）のタイミングに同期してインピーダンス調整部が動作し、当該パルス信号が立ち上がるとき（および／または立ち下がるとき）には電源部のインピーダンスが一時的に下げられるので、パルス信号の立ち上がり（および／または立ち下がり）に同期して発生するノイズの影響による電源部の出力電圧のふらつきが抑制され、電源部の出力電圧のふらつきに伴って音声発生装置から出力される音声に混ざる雑音が低減される。したがって、たとえば、給湯装置の操作装置の音声発生手段に本発明を適用することにより、雑音（バックノイズ）の少ないクリアな音声メッセージを出力できる給湯装置の操作装置を提供することができる。
【図面の簡単な説明】
【００２２】
【図１】本発明に係る音声発生装置を音声メッセージ出力用の音声発生手段として用いた給湯装置の操作装置の概略構成を示すブロック図である。
【図２】同音声発生装置における音声増幅部に電源電圧を供給する電源回路の回路構成の一例を示す回路図である。
【図３】同音声発生装置におけるインピーダンス調整部の動作タイミングの一例を示す説明図であり、図３（ａ）はノイズ低減指令信号の出力波形を、図３（ｂ）はノイズ源となるパルス波形を示している。
【図４】同音声発生装置におけるインピーダンス調整部の動作手順の一例を示すフローチャートである。
【図５】従来の音声発生装置の電源部の回路構成の一例を示す回路図である。
【発明を実施するための形態】
【００２３】
以下、本発明の実施形態を図面に基づいて詳細に説明する。
図１は本発明に係る音声発生装置を音声メッセージ出力用の音声発生手段に用いた給湯装置の操作装置の概略構成を示している。この図１に示す操作装置１は、図示しない給湯装置を遠隔操作するための操作装置（リモコン）であって、給湯装置の状態などを音声メッセージを用いて報知可能に構成されている。
【００２４】
ここで、音声メッセージにより給湯装置の状態などを報知する機能を備えた操作装置の構造自体は周知であるので詳細な説明は省略し、本発明の説明に必要な範囲で図１に基づいて操作装置１の概略構成を説明する。
【００２５】
この操作装置１は、給湯装置に対する遠隔操作などが入力される入力部２と、給湯装置の状況などを表示する表示部３と、入力部２への入力に応じて操作装置１の各部を制御するとともに給湯装置に対する遠隔操作用の制御信号を生成する制御部４と、音声メッセージなどを出力する音声発生部（音声発生手段）５と、操作装置１の各部に駆動電源を供給する電源部６とを主要部として構成されている。
【００２６】
入力部２は、図示ない複数の操作スイッチ（操作キー）で構成されており、これら操作スイッチが操作されると、その操作に応じた操作受付信号が制御部４に与えられるように構成されている。具体的には、この入力部２に備えられる操作スイッチにより、たとえば、給湯装置を運転待機状態（温水出湯が可能な状態）に移行させる操作や給湯設定温度を変更する操作などが行えるようになっている。
【００２７】
表示部３は、文字や図形などが表示できる液晶表示装置や蛍光管表示装置（ＶＦＤ）、７セグメントＬＥＤなどの表示装置で構成されており、制御部４から与えられる表示制御信号に応じて表示部３の表示内容が設定されるように構成されている。そして、本実施形態では、この表示部３の表示制御にあたり、制御部４は、複数桁の数字や図形を表示させるにあたりパルス信号により数字や図形を時分割で表示させるように構成されている。
【００２８】
制御部４は、操作装置１の制御中枢を構成する制御装置であって、図示しないマイコンを主要部として構成されている。このマイコンは、上述した入力部２操作スイッチから与えられる操作受付信号や図示しない通信部を介して給湯装置から与えられる制御信号を解析して操作装置１の各部の制御や給湯装置に対する遠隔操作用の制御信号を生成するようにプログラムされており、この制御部４で生成された給湯装置に対する制御信号は上記通信部を介して給湯装置に与えられるようになっている。
【００２９】
そして、本実施形態では、この制御部４は、表示部３の表示制御にあたり複数桁の数字や図形を時分割で表示するダイナミックスキャン方式を採用しており、そのため同期信号として一定周期で電圧の高低（Ｈｉ／Ｌｏ）を繰り返すパルス信号（図３（ｂ）参照）を出力するように構成されている。
【００３０】
また、この制御部４は、後述する音声増幅部８の電源部を構成するレギュレータＩＣ１の動作／停止を制御するようになっており、この制御に関連して、レギュレータＩＣ１の動作／停止を切り換える電源制御信号（電源ＯＮ／ＯＦＦ信号）を出力するように構成されている。さらに、このレギュレータＩＣ１の制御に関連して、制御部４は、後述するインピーダンス調整部１２の動作を制御する制御信号（ノイズ低減指令信号）を出力するようにもなっている（詳細は後述する）。
【００３１】
音声発生部５は、音声メッセージの元となる音声信号（電気信号）を生成する音声合成ＩＣ（音源部）７と、音声合成ＩＣ７から出力される音声信号を増幅する音声増幅部８と、音声増幅部８で増幅された音声信号を外部に出力するスピーカ９とを主要部として構成されている。
【００３２】
音声合成ＩＣ７は、制御部４から与えられる音声出力用の制御信号に応じて所定の音声メッセージを構成する音声信号を出力する集積回路であって、この音声合成ＩＣ７としては、たとえば、あらかじめデジタル録音された音声メッセージの音声データを制御部４からの制御信号に応じて再生してアナログの音声信号として出力する方式の音声合成ＬＳＩが用いられる。
【００３３】
音声増幅部８は、音声合成ＩＣから出力された音声信号をスピーカ９から出力する際の音量を調節するための増幅回路であって、この増幅回路には音声信号の増幅に適した低周波用の増幅回路が用いられる。
【００３４】
電源部６は、操作装置１の各部に駆動電源を供給する電源装置であって、本実施形態では、この電源部６は元電源１０から与えられる直流電圧（図示例ではＤＣ１５Ｖ)に基づいて、入力部２、制御部４および音声合成ＩＣ７の駆動電源となる直流電圧（図示例ではＤＣ５Ｖ）と、音声増幅部８の駆動電源となる直流電圧（図示例ではＤＣ７Ｖ）とを生成するように構成されている。ここで、この元電源１０は、給湯装置から供給されるようになっている。具体的には、給湯装置と操作装置１とが２芯の通信ケーブルで接続され、この２芯の通信ケーブルを介して元電源１０となる直流電圧が給湯装置から供給されるように構成されている。
【００３５】
なお、図１に示す操作装置１では、表示部３の駆動電源は、表示部用に設けられた専用の電源部１１から供給されるようになっている。すなわち、元電源１０から専用の電源部１１に直流電圧（ＤＣ１５Ｖ）が供給され、この電源部１１において表示部３用の直流電圧が生成され、表示部３に供給されるように構成されている。
【００３６】
図２は、上記電源部６において音声増幅部８に供給する直流電圧を生成する電源回路の回路構成を示している。この図２に示す電源回路は、図５に示した電源回路にレギュレータ（音声増幅部８の電源部）ＩＣ１のインピーダンス（出力インピーダンス）を下げるインピーダンス調整部１２を付加している。なお、その他の構成は図５の電源回路と同様であるので構成が共通する部分には同一の符号を付して説明を省略する。
【００３７】
このインピーダンス調整部１２は、制御部４からの制御信号（ノイズ低減指令信号）に基づいてレギュレータＩＣ１のインピーダンス（レギュレータＩＣ１の出力ラインのインピーダンス）を下げるように機能する回路で構成されている。
【００３８】
具体的には、図２に示すように、このインピーダンス調整部１２は、トランジスタＱ１，Ｑ２と抵抗Ｒ４，Ｒ５とで構成されている。そして、レギュレータＩＣ１の出力ラインに接続されるフィードバック抵抗Ｒ２にトランジスタＱ２と抵抗Ｒ４の直列回路が並列に接続されるとともに、グランドに接続されるフィードバック抵抗Ｒ３にトランジスタＱ１と抵抗Ｒ５の直列回路が接続される。
【００３９】
そして、トランジスタＱ１に制御部４からのノイズ低減指令信号（図３参照）がＨｉになると、このノイズ低減指令信号がＨｉの期間中はトランジスタＱ１，Ｑ２がともにオンとなり、これに伴って抵抗Ｒ４，Ｒ５がフィードバック抵抗Ｒ２，Ｒ３と並列に挿入された状態となる。
【００４０】
ここで、フィードバック抵抗Ｒ２，Ｒ３と並列に接続される抵抗Ｒ４，Ｒ５は、それぞれ対応するフィードバック抵抗Ｒ２，Ｒ３よりも抵抗値が小さい抵抗が用いられる。具体的には、たとえば、フィードバック抵抗Ｒ２が１５０ｋΩである場合には、フィードバック抵抗Ｒ２と並列に接続される抵抗Ｒ４にはフィードバック抵抗Ｒ２よりも抵抗値が小さい抵抗（たとえば、１５ｋΩの抵抗器）が用いられ、フィードバック抵抗Ｒ３が３３ｋΩである場合には、フィードバック抵抗Ｒ３と並列に接続される抵抗Ｒ５にはフィードバック抵抗Ｒ３よりも抵抗値が小さい抵抗（たとえば、３．３ｋΩの抵抗器）が用いられる。
【００４１】
つまり、このインピーダンス調整部１２は、トランジスタＱ１，Ｑ２がオンすることによってフィードバック抵抗Ｒ２と抵抗Ｒ４の合成抵抗値およびフィードバック抵抗Ｒ３と抵抗Ｒ５の合成抵抗値をそれぞれ下げることにより、レギュレータＩＣ１の出力ラインのインピーダンスを下げるように構成されている。
【００４２】
次に、このインピーダンス調整部１２の動作について図３および図４に基づいて説明する。ここで、図３は本実施形態におけるインピーダンス調整部１２の動作タイミングを示す説明図である。
【００４３】
インピーダンス調整部１２は、上述したように、その動作によって音声増幅部８に駆動電圧を供給するレギュレータＩＣ１の出力ラインのインピーダンスを下げるように機能することから、本実施形態では、制御部４は、制御部４が出力するパルス信号の立ち上がりに同期してインピーダンス調整部１２を一時的に動作させることにより、上記パルス信号の立ち上がりに同期して発生するノイズの影響によりレギュレータＩＣ１の出力電圧のふらつきを低減させるように構成されている。
【００４４】
ここで、上記ノイズの発生源となるパルス信号としては、たとえば、操作スイッチの操作受付信号の読み取りおよび表示部３の時分割表示（表示制御）に用いるスキャン信号（ダイナミックスキャンの同期信号）が例示される。図３（ｂ）はこのスキャン信号の波形の一例を示しており、この図に示すように、この種のパルス波形においては、電圧の立ち上がり時にスキャン波形にパルス状のノイズＮが重畳され、このノイズＮがフィードバック抵抗Ｒ２，Ｒ３に影響を与えることとなる。
【００４５】
そのため、制御部４は、このノイズＮによる影響を打ち消すタイミングでインピーダンス調整部１２が動作するようにノイズ低減指令信号を出力するように構成される。すなわち、ノイズ低減指令信号は、少なくともパルス信号の立ち上がりに合わせて（好ましくは、図３（ａ）に示すようにパルス信号の立ち上がりの直前に（たとえば、立ち上がりの数乃至十数μ秒前に））Ｈｉとなり、ノイズＮが消滅するタイミングに合わせて（悪くともノイズＮがレギュレータＩＣ１の出力電圧に影響を与えない程度に小さくなったときに）Ｌｏとなるように出力される。つまり、制御部４は、パルス信号の立ち上がりのタイミングに同期してインピーダンス調整部１２を一時的に動作させて、少なくともパルス信号が立ち上がりノイズＮが発生するときにはレギュレータＩＣ１の出力ラインのインピーダンスを一時的に下げる制御を行うようになっている。
【００４６】
ここで、この制御にあたり、ノイズＮが重畳されるパルス信号の周期（立ち上がりのタイミング）は制御部４自身が設定していることから、ノイズ低減指令信号をＨｉにする期間およびその周期は、このパルス信号の周期や経験によって得られたノイズＮの持続時間（推定持続時間）に応じて制御部４に適宜設定するように構成される。
【００４７】
そして、このノイズ低減指令信号は、レギュレータＩＣ１が動作しているとき、つまり、音声増幅部８が動作中であるときにのみ出力されるようになっている。つまり、制御部４は、レギュレータＩＣ１に対して電源制御信号を出力してレギュレータＩＣ１を動作させているときに限り、制御部４から出力されるパルス信号の立ち上がりのタイミングに同期してノイズ低減指令信号を出力するようになっている。
【００４８】
図４は、このようなインピーダンス調整部１２の動作手順の一例を示している。
この図に示すように、制御部４は、レギュレータＩＣ１の動作を開始させてレギュレータＩＣ１の電源をオンにすると（図４ステップＳ１参照）、これに続いて、ダイナミックスキャンのパルス信号が出力されているか否かを判断する（図４ステップＳ２参照）。
【００４９】
ここで、本実施形態に示す給湯装置の操作装置１では、制御部４は、操作スイッチの操作受付信号の読み取りおよび表示部３の時分割表示（表示制御）に用いるパルス信号（ダイナミックスキャンの同期信号）を出力しているので、この図４ステップＳ２の判断は肯定的となる。
【００５０】
なお、ここでパルス信号がない場合には、ノイズ源となるパルス信号は出力されていないと判断できるので、制御部４は上述したインピーダンス調整部１２の動作、すなわち、ノイズ低減処理は行わずに（図４ステップＳ５参照）、処理を終了する。
【００５１】
そして、図４ステップＳ２の判断が肯定的である場合、次に、制御部４は、上述したように、制御部４が出力するパルス信号（ダイナミックスキャンのスキャン信号）の立ち上がりのタイミングに同期してインピーダンス調整部１２を一時的に動作させ、パルス信号にノイズＮが重畳されるタイミングでレギュレータＩＣ１の出力ラインのインピーダンスを下げる処理を行う（図４ステップＳ４参照）。
【００５２】
このように、本実施形態に示す操作装置１では、当該操作装置１の制御部４が、ダイナミックスキャンに伴って出力するスキャン信号（パルス信号）の立ち上がりのタイミングに同期してインピーダンス調整部１２が動作させて、スキャン信号が立ち上がるときにはレギュレータＩＣ１のインピーダンスを一時的に下げるようになっているので、スキャン信号の立ち上がりに同期して発生するノイズＮの影響によるレギュレータＩＣ１の出力電圧がふらつきが抑制される。
【００５３】
そのため、スキャン信号の立ち上がりに同期して発生するノイズＮの影響による雑音の混入が軽減され、クリアな音声メッセージの出力が可能になる。特に、音声メッセージの前後における無音時（音声増幅部８が動作している状態での無音時）においては、雑音の軽減が顕著に現れ、ユーザに不快な雑音を聞かせるのを防止することができる。
【００５４】
なお、上述した実施形態は本発明の好適な実施態様を示すものであって、本発明はこれらに限定されることなく発明の範囲内で種々の設計変更が可能である。
【００５５】
たとえば、上述した実施形態では、本発明に係る音声出力装置を給湯装置の操作装置１における音声メッセージの出力手段に用いた場合を示したが、本発明に係る音声発生装置は、給湯装置の操作装置以外の装置にも適用可能である。すなわち、本発明に係る音声発生装置は、音声信号を生成する音源部と、この音源部から供給される音声信号を増幅する音声増幅部と、音声増幅部で増幅された音声信号を外部に出力するスピーカと、音声増幅部に電源電圧を供給する電源部と、制御部とを備え、かつ、この電源部の出力電圧を一定に制御するために出力電圧を分圧して帰還させるフィードバック抵抗を備えている装置において、制御部がノイズの発生源となるパルス信号を出力する構成を備えていれば、操作装置１以外の装置にも適用することができる。
【００５６】
また、上述した実施形態では、インピーダンス調整部１２をダイナミックスキャンのスキャン信号に同期して動作させる場合を示したが、インピーダンス調整部１２はノイズ源となるパルス信号の立ち上がりに同期して動作するように構成されていればよく、たとえば制御部４が出力するクロック信号に同期して動作するように構成してもよい。
【００５７】
また、上述した実施形態では、操作装置１の音声増幅部８の音源として音声合成ＩＣ７を用いた場合を示したが、たとえば、操作装置１が他の操作装置と音声通話機能（インターホン機能）を備えている場合には、当該音声通話の音声信号を音源として用いることもできる。すなわち、この場合、音声通話機能により音声増幅部８が動作状態にある、つまり、レギュレータＩＣ１が動作している状態にあるときに、制御部４がパル信号を出力するタイミングでインピーダンス調整部１２を動作させるように構成することも可能である。
【００５８】
また、上述した実施形態では、制御部４がパルス信号の立ち上がりのタイミングに同期してインピーダンス調整部１２を動作させる構成を示したが、パルス信号の立ち下がりに起因するノイズの影響を低減するために、制御部４がパルス信号の立ち下がりのタイミングに同期してインピーダンス調整部１２を動作させるように構成してもよい。すなわち、制御部４は、パルス信号の立ち上がりまたは立ち下がりのタイミング、および立ちあがりと立ち下がりの両方のタイミングでインピーダンス調整部１２を動作せて、パルス信号が立ち上がるときおよび／または立ち下がるときにレギュレータＩＣ１のインピーダンスを一時的に下げるように構成されていてもよい。
【符号の説明】
【００５９】
１                操作装置
２                入力部
３                表示部
４                制御部
５                音声発生部（音声発生手段）
６                電源部
７                音声合成ＩＣ（音源部）
８                音声増幅部
９                スピーカ
１０              元電源
１１              表示部用の電源部
１２              インピーダンス調整部
Ｒ２，Ｒ３        フィードバック抵抗
【図１】
2014089020.tif 000003
【図２】
2014089020.tif 000004
【図３】
2014089020.tif 000005
【図４】
2014089020.tif 000006
【図５】
2014089020.tif 000007